(57)【特許請求の範囲】
【請求項１】
特定の施療対象者の歯列矯正用ブラケットの作成方法であって、
前記特定の施療対象者の歯型を模したオリジナル歯型模型の各歯を目標歯並び位置に再配列したセットアップ歯型模型の特定の歯の対象部位に未硬化の歯科用レジンを付着させて乾燥又は光照射により硬化させて前記対象部位の凹凸形状を転写した係合面を形成し、
前記セットアップ歯型模型の所定位置に原形の歯列矯正ワイヤを配置し、前記係合面が前記対象部位に凹凸係合した状態で前記歯科用レジンが前記歯列矯正ワイヤと干渉するように盛り上げて乾燥又は光照射により硬化させることにより、前記歯科用レジンと前記歯列矯正ワイヤとの干渉部位に前記歯列矯正ワイヤを挿通する貫通孔又は溝を形成することを特徴とすることを特徴とする歯列矯正用ブラケットの作成方法。
【請求項２】
前記歯列矯正用ブラケットは、歯科用レジンのみで形成されていることを特徴とする請求項１に記載の歯列矯正用ブラケットの作成方法。
【請求項３】
前記係合面は、前記特定の歯の頬側面又は舌側面の少なくとも一部に凹凸係合することを特徴とする請求項１又は請求項２に記載の歯列矯正用ブラケットの作成方法。
【請求項４】
前記特定の歯は、臼歯であり、
前記係合面は、臼歯の咬合面の凹凸形状に凹凸係合することを特徴とする請求項１〜請求項３の何れか１項に記載の歯列矯正用ブラケットの作成方法。
【請求項５】
前記係合面は、前記特定の歯の頬側面から咬合面にかけての凹凸形状に凹凸係合することを特徴とする請求項４に記載の歯列矯正用ブラケットの作成方法。
【請求項６】
前記係合面は、前記特定の歯の頬側面から頬側咬頭にかけての凹凸形状に凹凸係合することを特徴とする請求項４又は請求項５に記載の歯列矯正用ブラケットの作成方法。
【請求項７】
前記係合面は、前記特定の歯の舌側面から咬合面にかけての凹凸形状に凹凸係合することを特徴とする請求項４に記載の歯列矯正用ブラケットの作成方法。
【請求項８】
前記係合面は、前記特定の歯の舌側面から舌側咬頭にかけての凹凸形状に凹凸係合することを特徴とする請求項４又は請求項７に記載の歯列矯正用ブラケットの作成方法。
【請求項９】
前記係合面は、前記特定の歯の咬頭の周囲を囲う囲繞部を有することを特徴とする請求項４〜請求項８のいずれか１項に記載の歯列矯正用ブラケットの作成方法。
【請求項１０】
前記囲繞部は、前記特定の歯の咬頭の周囲であって、咬頭の中央部を走る溝に面した部位を除く部位を囲うことを特徴とする請求項９に記載の歯列矯正用ブラケットの作成方法。
【請求項１１】
請求項１〜請求項１０の何れか１項に記載の歯列矯正用ブラケットの作成方法により作成された歯列矯正用ブラケット。
【請求項１２】
特定の施療対象者の歯型を模した歯型模型の特定の歯の対象部位に未硬化の歯科用レジンを付着させて乾燥又は光照射により硬化させて前記対象部位の凹凸形状を転写した係合面を有する係合部と、
前記係合面から前記歯科用レジンを盛り上げて形成され、歯列矯正ワイヤを挿通可能なワイヤ挿通孔又は溝を形成して乾燥又は光照射により硬化させた盛り上がり部と、を有し、
前記係合部と前記盛り上がり部は前記歯科用レジンにて一体的に形成されており、
矯正未完了状態の前記特定の施療対象者の前記特定の歯の前記対象部位と前記係合面との間に接着剤を塗布し、前記係合面を前記特定の歯の凹凸形状にフィットさせて前記係合面を前記対象部位に接着固定し、前記歯列矯正ワイヤを前記ワイヤ挿通孔又は溝に挿通して前記歯列矯正ワイヤを前記施療対象者の歯並びに沿って固定したとき、前記歯列矯正ワイヤが原形から変形し、当該変形の度合いに応じた矯正応力を前記特定の歯に加える形状及び角度で前記ワイヤ挿通孔又は溝が形成されている
ことを特徴とする歯列矯正用ブラケット。
【発明の詳細な説明】
【技術分野】
【０００１】
本発明は、歯列矯正用ブラケット、及び、歯列矯正用ブラケットの作成方法に関する。
【背景技術】
【０００２】
歯科矯正治療は、ブラケットとワイヤを用いて行われることが多い（例えば、特許文献１参照。）。ブラケットは、歯のサイズよりも小さい器具であり、金属製のものが一般的である。このブラケットは、施療対象者の歯の側面（舌側面や頬側面）に対してその取付面を歯科用接着剤等で固着して用いられる。この固着される取付面と反対側の面（以下、表面とする。）には溝や孔が設けてあり、この溝や孔には、歯科矯正用の金属製のワイヤが係合固定される。
【０００３】
このワイヤは弾性部材であり、その元の形は、理想的な歯列に装着されたブラケットに係合固定したときにジャストフィットするような、所望のカーブを描くように屈曲された形状に成形されている。そして、元の形と異なる形状に変形されると、元の形に戻ろうとする弾性力が働く。
【０００４】
ここで、施療完了前の施療対象者の歯列に固定されたブラケットに係合固定されたワイヤは、施療完了前の施療対象者の歯列が理想的な歯列とは異なるため、元の形と異なる形状に変形している。このとき、ワイヤには元の形に戻ろうとする弾性力が働き、ブラケットを介してワイヤに固定されている施療対象者の歯列にも、理想的な歯列に整列するような弾性力が働く。その結果、施療対象者の歯列は、徐々に理想的な位置に矯正されていく。
【先行技術文献】
【特許文献】
【０００５】
【特許文献１】特開２０１２−６６０１６号公報
【発明の概要】
【発明が解決しようとする課題】
【０００６】
しかしながら、上述した従来の歯列矯正においては、歯科医師が金属製のブラケットを施療対象者の歯に固定する作業を行う必要がある。このとき、歯科医師は、施療対象者の歯に歯科用の接着剤を塗布し、経験や勘に基づいてブラケットの固定位置を決定し、その固定位置に手作業で光硬化型の接着剤を塗布したブラケットを配置し、紫外線等を照射して接着剤を硬化させることによりブラケットの装着を行う。
【０００７】
このため、熟練の歯科医師であっても、ブラケットを理想的な位置に確実に固定することは難しく、わずかなズレは許容するしかなかった。しかも、ブラケットのサイズは、通常、２〜３ｍｍと非常に小さいため、ブラケットを施療対象者の歯に固定する作業は、歯科医師にとって非常に神経を使う作業の１つであった。
【０００８】
また、金属製のブラケットは、非常に小さい上、鋳造により作成される。しかも、ブラケットの係合孔や係合溝は、歯列矯正に通常用いられる断面矩形のレクタンギュラーワイヤと密着係合してその回転を抑制しつつも、ワイヤが摺動可能なサイズに形成する必要がある。このため、ブラケットの製造は、高度の技術を有する専門業者に依頼するしかなく、高価にならざるを得なかった。
【０００９】
本発明は、前記課題に鑑みてなされたもので、（１）ブラケットの製造に必要な技術レベルとコストを低減して歯列矯正に係るコストや労力を低減すること、（２）施療対象者の歯に対するブラケットの固定位置の決定を容易化すること、（３）施療対象者の歯に対するブラケットの実際の固定位置と理想的な固定位置の間のズレをより少なくすること、の少なくとも１つを実現可能な歯列矯正用ブラケット、及び、その作成方法を提供することを目的とする。
【課題を解決するための手段】
【００１０】
本発明の態様の１つは、歯科用のレジンのみで形成されていることを特徴とする歯列矯正用ブラケットである。
【００１１】
このように、歯列矯正用ブラケットを歯科用のレジンのみを用いて形成することにより、歯列矯正用ブラケットの製造に必要な技術レベルとコストを低減して歯列矯正に係るコストや労力を低減することが可能となる。
【００１２】
また、本発明の選択的な態様の１つは、特定の歯の凹凸形状に凹凸係合する係合面を有する係合部を備える構成である。
【００１３】
当該構成によれば、その歯列矯正用ブラケットと凹凸係合する箇所に歯科用の接着剤を塗布し、凹凸係合するように歯列矯正用ブラケットを配置すれば、特定の歯に歯列矯正用ブラケットを装着することができる。よって、施療対象者の歯に対する歯列矯正用ブラケットの固定位置の決定が容易であり、歯列矯正用ブラケットを理想的な固定位置に固定することができる。
【００１４】
また、本発明の選択的な態様の１つにおいては、前記係合部は、前記特定の歯の頬側面又は舌側面の少なくとも一部に凹凸係合する係合面を有する構成としてある。
【００１５】
当該構成によれば、前記特定の歯の凹凸形状のうち、特に頬側面又は舌側面の凹凸形状に対してユニークに凹凸係合する歯列矯正用ブラケットを提供することができる。すなわち、前記係合面は、特定の歯の側面が有する曲面や側溝等の凹凸形状を転写した凹凸形状を有しているため、この凹凸形状を手がかりとして施療対象者の歯に対する歯列矯正用ブラケットの固定位置の決定を行うことができる。
【００１６】
また、本発明の選択的な態様の１つにおいては、前記特定の歯は、臼歯であり、前記係合部は、臼歯の咬合面の凹凸形状に凹凸係合する係合面を有する構成としてある。
【００１７】
当該構成によれば、前記特定の歯の凹凸形状のうち、特に咬合面の凹凸形状に対してユニークに凹凸係合する歯列矯正用ブラケットを提供することができる。臼歯の咬合面は、歯の中でも特にユニークな凹凸に富んだ部位であり、ぴったり凹凸係合する箇所は、ほぼ一意に定まる。従って、施療対象者の歯に対する歯列矯正用ブラケットの固定位置の決定が容易となり、施療対象者の歯に対する歯列矯正用ブラケットの実際の固定位置と理想的な固定位置の間のズレを従来に比べて少なくすることが可能となる。
【００１８】
また、本発明の選択的な態様の１つにおいては、前記係合面は、前記特定の歯の頬側面から咬合面にかけての凹凸形状に凹凸係合する構成としてある。
【００１９】
当該構成によれば、前記特定の歯の凹凸形状のうち、特に頬側面から咬合面にかけての凹凸形状に対してユニークに凹凸係合する歯列矯正用ブラケットを提供することができる。この頬側面から咬合面にかけての角部を含む凹凸形状もユニークな凹凸形状を有するため、頬側矯正に用いたときに、施療対象者の歯に対する歯列矯正用ブラケットの固定位置の決定が容易となり、施療対象者の歯に対する歯列矯正用ブラケットの実際の固定位置と理想的な固定位置の間のズレを従来に比べて少なくすることが可能となる。
【００２０】
また、本発明の選択的な態様の１つにおいては、前記係合面は、前記特定の歯の頬側面から頬側咬頭にかけての凹凸形状に凹凸係合する構成としてある。
【００２１】
当該構成によれば、前記特定の歯の凹凸形状のうち、頬側面から頬側咬頭にかけての凹凸形状に対してユニークに凹凸係合する係合面を有する歯列矯正用ブラケットを提供することができる。このため、特定の歯の特定の部位に対する歯列矯正用ブラケットの係止力が最も高まりやすい好適な形状となり、施療対象者の歯に対する歯列矯正用ブラケットの固定位置の決定が容易となり、施療対象者の歯に対する歯列矯正用ブラケットの実際の固定位置と理想的な固定位置の間のズレを従来に比べて少なくすることが可能となる。
【００２２】
また、本発明の選択的な態様の１つにおいては、前記係合面は、前記特定の歯の舌側面から咬合面にかけての凹凸形状に凹凸係合する構成としてある。
【００２３】
当該構成によれば、前記特定の歯の凹凸形状のうち、前記特定の歯の舌側面から咬合面にかけての凹凸形状にユニークに凹凸係合する係合面を有する歯列矯正用ブラケットを提供することができる。このため、舌側矯正に用いたときに、施療対象者の歯に対する歯列矯正用ブラケットの固定位置の決定が容易となり、施療対象者の歯に対する歯列矯正用ブラケットの実際の固定位置と理想的な固定位置の間のズレを従来に比べて少なくすることが可能となる。
【００２４】
また、本発明の選択的な態様の１つにおいては、前記係合面は、前記特定の歯の舌側面から舌側咬頭にかけての凹凸形状に凹凸係合する構成としてある。
【００２５】
当該構成によれば、前記特定の歯の凹凸形状のうち、舌側面から舌側咬頭にかけての凹凸形状に凹凸係合する係合面を有する歯列矯正用ブラケットを提供することができる。このため、舌側矯正に用いたときに、施療対象者の歯に対する歯列矯正用ブラケットの固定位置の決定が容易となり、施療対象者の歯に対する歯列矯正用ブラケットの実際の固定位置と理想的な固定位置の間のズレを従来に比べて少なくすることが可能となる。
【００２６】
また、本発明の選択的な態様の１つにおいては、前記係合部は、前記特定の歯の咬頭の周囲を囲う囲繞部を有する構成としてある。
【００２７】
当該構成によれば、前記特定の歯の咬頭の周囲を囲う囲繞部を有するため、歯列矯正用ブラケットと前記特定の歯との係止力を高めつつも、歯列矯正時の咬合に対する影響を極力少なくすることが可能となる。
【００２８】
また、本発明の選択的な態様の１つにおいては、前記囲繞部は、前記特定の歯の咬頭の周囲であって、咬頭の中央部を走る溝に面した部位を除く部位を囲う構成としてある。
【００２９】
当該構成によれば、前記特定の歯の咬頭に対する歯列矯正用ブラケットの係止力を高めつつも、咬合により上下の歯が接触しやすい咬頭の中央部を走る溝に面した部位については、歯列矯正用ブラケットが装着されない形状となるため、施療対象者が口内に感じる違和感を軽減することが可能となる。
【００３０】
また、本発明の選択的な態様の１つにおいては、前記係合部は、前記特定の歯の側面側に、歯列矯正ワイヤを挿通可能なワイヤ挿通孔が形成されている構成としてある。
【００３１】
当該構成によれば、歯科用のレジンのみで、歯列矯正ワイヤを挿通可能なワイヤ挿通孔も形成されるため、歯列矯正ワイヤを固定するための構造を歯列矯正用ブラケットに設ける必要が無く、又、歯列矯正ワイヤを固定するためにオーリングやリガチャーワイヤ等を用いずに歯列矯正を行うことも可能になる。
【００３２】
また、本発明の選択的な態様の１つにおいては、前記ワイヤ挿通孔は、その開口部が入り口に近いほど徐々に孔の径が広くなる漏斗状である構成としてある。
【００３３】
当該構成によれば、前記ワイヤ挿通孔に歯列矯正ワイヤを挿通しやすくなり、歯列矯正に係る歯科医師の作業負担を軽減することができる。
【００３４】
また、本発明の選択的な態様の１つにおいては、前記ワイヤ挿通孔の内面には、滑剤が付着されている構成としてある。また、本発明の選択的な態様の１つにおいては、前記ワイヤ挿通孔の内面には、粉状物が付着されている構成としてある。
【００３５】
これらの構成によれば、前記ワイヤ挿通孔に歯列矯正ワイヤを挿通しやすくなり、また、歯列矯正による歯の移動に追随して、前記ワイヤ挿通孔における歯列矯正ワイヤの位置が自然と調整される。従って、患者に対する負担が軽減されるし、従来行っていた歯列矯正ワイヤの位置調整の頻度を少なくすることが出来る。
【００３６】
また、本発明の選択的な態様の１つにおいては、前記係合部は、前記特定の歯の側面側に、当該側面側に向けて開口して歯列矯正ワイヤと凹凸係合する係合溝が形成されている構成としてある。
【００３７】
当該構成によれば、前記ワイヤ挿通孔を形成したタイプの歯列矯正ブラケットを装着すると歯列矯正ワイヤの挿通作業が難しい歯についても、歯科用のレジンで作成した歯列矯正ブラケットを用いて歯列矯正を行うことができるようになる。
【００３８】
なお、以上説明した歯列矯正用ブラケットは、他の機器に組み込まれた状態で実施されたり他の方法とともに実施されたりする等の各種の態様を含む。また、本発明は前記歯列矯正用ブラケットを用いて行う歯列矯正方法、前記歯列矯正用ブラケットを作成するための歯列矯正用ブラケットの作成方法、等としても実現可能である。
【発明の効果】
【００３９】
本発明によれば、（１）歯列矯正用ブラケットの製造に必要な技術レベルとコストを低減して歯列矯正に係るコストや労力を低減すること、（２）施療対象者の歯に対する歯列矯正用ブラケットの固定位置の決定を容易化すること、（３）施療対象者の歯に対する歯列矯正用ブラケットの実際の固定位置と理想的な固定位置の間のズレをより少なくすること、の少なくとも１つを実現することができる。
【図面の簡単な説明】
【００４０】
【図１】第１実施形態に係る歯列矯正用ブラケットの構造を示す模式的な斜視図である。
【図２】第２実施形態に係る歯列矯正用ブラケットの構造を説明する図である。
【図３】第３実施形態に係る歯列矯正用ブラケットの構造を説明する図である。
【図４】第４実施形態に係る歯列矯正用ブラケットの構造を説明する図である。
【図５】第５実施形態に係る歯列矯正用ブラケット作成手順を示す流れ図である。
【図６】第５実施形態において製作されるセットアップ歯型模型の図である。
【図７】第５実施形態に係る貫通孔タイプの歯列矯正用ブラケット作成を説明する模式的な断面図である。
【図８】第５実施形態に係る溝タイプの歯列矯正用ブラケット作成を説明する模式的な断面図である。
【図９】第５実施形態に係る溝タイプの歯列矯正用ブラケット作成を説明する模式的な断面図である。
【図１０】型部材の形状を説明する斜視図である。
【図１１】第６実施形態に係る歯列矯正方法を説明する図である。
【発明を実施するための形態】
【００４１】
以下、下記の順序に従って本発明の実施形態を説明する。
（１）第１実施形態：
（２）第２実施形態：
（３）第３実施形態：
（４）第４実施形態：
（５）第５実施形態：
（６）第６実施形態：
（７）まとめ：
【００４２】
（１）第１実施形態： 
図１は、第１実施形態に係る歯列矯正用ブラケットの構造を示す模式的な斜視図である。同図に示すブラケット１００は、施療対象者の特定の歯の表面の凹凸形状に凹凸係合する係合面１２を有する係合部１１を備えている。
【００４３】
なお、同図に示す係合部１１は、対象歯２００の頬側面２０１に凹凸係合する係合面１２を有する頬側矯正に用いる歯列矯正用ブラケットを示してあるが、これは舌側矯正（裏側矯正）に用いるブラケットとしても実現可能であり、舌側矯正に用いるブラケットの場合は、舌側面２０２に凹凸係合する係合面１２を有することになる。ただし、説明を簡略化するため、以下では主として頬側矯正の場合を例に取って説明を行うことにする。
【００４４】
係合面１２は、対象歯２００の表面の凹凸形状を採型により転写した形状となっている。従って、係合面１２は、採型した対象歯２００の対象部位に凹凸係合させたときに最もよくフィットするユニークな凹凸形状を有しており、他の箇所に凹凸係合させてようとしてもフィットしないか若しくは非常にフィットしにくい形状になっている。
【００４５】
このようなユニークな係合面１２を有することから、歯科医師は、施療対象者の対象歯２００にブラケット１００を固定する際に、係合面１２の凹凸係合を手がかりとして係合面１２と最も良くフィットする部位を探すことで、その取り付けるべき位置を容易に把握することができる。すなわち、従来のような金属製のブラケット等に比べると、ブラケット１００の固定位置の決定が非常に容易であり、また、ブラケット１００の固定作業が容易である。
【００４６】
対象歯２００の表面の凹凸形状の採型は、様々な手法にて可能であるが、一例としては、後述のブラケット作成方法において説明するように、歯科用のレジンをセットアップ用歯型模型の対象部位に対して隙間無く密着させた状態で硬化させる手法が挙げられる。むろん、コンピュータで施療対象者の歯のラインをスキャンして、３Ｄ−ＣＡＤ（Ｃｏｍｐｕｔｅｒ  Ａｉｄｅｄ  Ｄｅｓｉｇｎ）を用いて作成する等の手法を用いてもよい。
【００４７】
係合部１１は、その頬側面２０１との当接面から頬側に突出した突起部１３に、歯列矯正ワイヤを挿通するためのワイヤ挿通孔としての貫通孔１４が形成されている。この貫通孔１４は、ブラケット１００が対象歯２００に装着されたときに、その孔の形成方向が歯列の並び方向に沿う方向に向くように形成されている。
【００４８】
突起部１３の形状は、様々に変更可能であるが、凸凹が少なく、出入りの少ない滑らかな表面形状とすることが好ましい。一例としては、なだらかな丘陵形状とすることができる。このような突起部１３は、その表面に凸凹が無いため、食べ滓等の引っ掛かりや、凹み部分への食べ滓等の堆積を防止することができる。また、歯磨きが容易であり、口中を清潔に保つことができる。また、突起や角が無いため、施療対象者の内頬を傷付けにくく、施療対象者に違和感を与えにくい。なお、その他の部位の表面も、突起部１３と同様に、凸凹が少ない滑らかな表面形状とすることが好ましいことは言うまでも無い。
【００４９】
貫通孔１４は、その開口部が、入り口から孔の奥方に進むにつれて徐々に孔が小さくなっていく漏斗状になっており、孔の奥は歯列矯正ワイヤの太さに略一致するが、孔の入り口付近は歯列矯正ワイヤの太さよりも広くなっている。このように漏斗状の形状を採用することにより、歯科医師は、貫通孔１４に歯列矯正ワイヤを挿通する作業をスムーズに行えるようになる。
【００５０】
貫通孔１４の断面形状は、歯列矯正ワイヤの断面形状に略一致する断面形状であり、歯列矯正ワイヤを貫通孔１４に挿通すると、歯列矯正ワイヤが摺動可能な程度の隙間が空く程度のサイズに形成されている。また、歯列矯正ワイヤとして断面矩形のレクタンギュラーワイヤを用いる場合、貫通孔１４の断面を当該レクタンギュラ−ワイヤの断面とほぼ同サイズの矩形とする。これにより、歯列矯正ワイヤの回転が抑制される。
【００５１】
貫通孔１４は、施療対象者の歯列が理想的な歯並びに矯正されたときに、複数の対象歯２００に装着される各ブラケットの貫通孔１４に挿通された歯列矯正ワイヤに歪みが生じなくなるような位置に形成されている。逆に言うと、施療対象者の歯列が理想的な歯並びでない場合には、複数の対象歯２００に装着される各ブラケットの貫通孔１４に挿通された歯列矯正ワイヤに歪みが生じるようになっている。
【００５２】
その結果、複数の対象歯２００に装着される各ブラケットの貫通孔にそれぞれ挿通された歯列矯正ワイヤは、理想的でない歯並び位置にある対象歯２００に対して、理想的な歯並び位置へ移動させるような弾性力を加える。これにより、ブラケット１００と歯列矯正ワイヤを装着された施療対象者の対象歯２００は、理想的な歯並び位置へ徐々に移動していく。
【００５３】
以上説明したブラケット１００は、様々な材料を用いて作成可能であるが、例えば、歯科用のレジンを用いて作成した場合、従来の鋳造で作成された金属製のブラケットに比べて材料費が大きく低減されるし、製作に高いスキルが要求されることも無いため製造コストも大きく低減される。さらに、材料費及び製作スキルが低下されることにより、歯科医師が自分でブラケットを作成できるようになり、現場のニーズに合った最適なブラケットを安価に製作できるようになる。
【００５４】
このようなブラケット１００の形状は、施療対象者の歯の形状やサイズ、咬合状況等の口腔の状況に応じて適宜に選択することができるが、その代表的な具体例として、第１小臼歯に適用して好適なブラケット１１０の形状、第１大臼歯に適用して好適なブラケット１２０の形状、及び前歯等のように咬合面を有さない歯に適用して好適なブラケット１３０について、以下の第２実施形態、第３実施形態、及び第４実施形態で説明する。
【００５５】
（２）第２実施形態：
図２は、第１小臼歯に適用して好適な歯列矯正用ブラケットの形状を説明する図である。ブラケット１１０の係合部１１１は、第１小臼歯３００の咬合面３０３の凹凸形状に凹凸係合する第１係合面１１３を有する第１係合部１１２を備える。具体的には、この第１係合面１１３は、第１小臼歯３００の頬側咬頭３０３ａに凹凸係合する形状を有する。なお、舌側矯正の場合は、第１小臼歯３００の舌側咬頭３０３ｂに凹凸係合する形状を有することとなる。
【００５６】
同図に示す第１係合部１１２は、頬側咬頭３０３ａの裾に沿って、その周囲を囲うような形状に形成されている。これにより、第１係合面１１３は、施療対象者の第１小臼歯３００の頬側咬頭３０３ａに凹凸係合したときに、ジャストフィットすることとなる。
【００５７】
更に好適には、第１係合部１１２は、隣接する犬歯の側と第２小臼歯の側（矯正のために抜歯されている場合は、第１大臼歯の側）の両側から、頬側咬頭３０３ａと舌側咬頭３０３ｂの間の中央溝以外の部位について、対象歯２００の頬側咬頭３０３ａの裾に沿って抱き抱えるように頬側から囲う形状とする。このとき、第１係合部１１２は、咬頭の周囲の少なくとも半周以上を囲う囲繞部を構成する。
【００５８】
このようなブラケット１１０は、第１小臼歯３００に装着したときに、第１係合面１１３が頬側咬頭３０３ａと凹凸係合することはもちろんであるが、第１小臼歯３００の中央溝に第１係合部１１２が位置しないため、施療対象者の咬合に支障が生じにくい。
【００５９】
また、ブラケット１１０の係合部１１１は、第１係合部１１２と連続的に形成される第２係合部１１４を有する。この第２係合部１１４は、第１小臼歯３００の頬側面３０１に密着する当接面１１５と、第１小臼歯３００の頬側面３０１から略垂直に施療対象者の内頬に向けて隆起する突起部１１６を有する。この突起部１１６は、上述した第１実施形態に係る突起部１３と同様の形状であり、貫通孔１４と同様の貫通孔１１７が形成される。
【００６０】
このような第２係合部１１４は、ブラケット１１０を第１小臼歯３００に装着したときに、咬合面３０３と頬側面３０１の角部から頬側面３０１の略中央にかけての部位を覆う形状である。すなわち、ブラケット１１０は、係合部１１が咬合面３０３と頬側面３０１の角部を含む部位に凹凸係合するため、歯科医師とってブラケット１１０の固定位置の決定やブラケット１１０の固定作業が更に容易になる。
【００６１】
（３）第３実施形態：
図３は、第１大臼歯に適用して好適な歯列矯正用ブラケットの構造を説明する図である。ブラケット１２０の係合部１２１は、第１大臼歯４００の咬合面４０３の凹凸形状に凹凸係合する第１係合部１２２を有する。この第１係合部１２２は、第１大臼歯４００の２つの頬側咬頭（近心頬側咬頭４０３ａと遠心頬側咬頭４０３ｂ）の少なくとも一方に凹凸係合する第１係合面１２３を有する。なお、舌側矯正の場合は、第１大臼歯４００の舌側に位置する２つの咬頭（近心舌側咬頭と遠心舌側咬頭）の少なくとも一方に凹凸係合する形状を有することになる。
【００６２】
同図に示す第１係合部１２２は、近心頬側咬頭４０３ａの裾に沿ってその周囲を囲うと共に遠心頬側咬頭４０３ｂの裾に沿ってその周囲を囲うように形成されている。これにより、第１係合部１２２の第１係合面１２３は、施療対象者の第１大臼歯４００の頬側咬頭に凹凸係合したときにジャストフィットする。
【００６３】
更に好適には、第１係合部１２２は、第２小臼歯側（矯正のために抜歯されている場合は、第１小臼歯側）と第２大臼歯側の両側から、咬合面４０３の近心小窩、中心小窩及び遠心舌側小窩等を含む中央溝の側を除いて、対象歯２００の２つの頬側咬頭の少なくとも一方の裾に沿って抱きかかえるように頬側から囲う形状とする。このような形状とすることで、ブラケット１２０を第１大臼歯４００に装着したときに、第１係合部１２２が頬側咬頭と凹凸係合しつつも咬合面４０３の中央溝には第１係合部１２２が位置しなくなるため、施療対象者の咬合に支障が生じにくくなる。このような第１係合部１１２は、咬頭の周囲の少なくとも半周以上を囲う囲繞部を構成する。
【００６４】
また、ブラケット１２０の係合部１２１は、第１係合部１１２と連続的に形成された第２係合部１２４を有する。第２係合部１２４は、ブラケット１２０を第１大臼歯４００に装着したときに、咬合面４０３と頬側面４０１の角部から頬側面４０１にかけての部位を覆う形状である。このように、咬合面４０３と頬側面４０１の角部を含む部位に凹凸係合するようにブラケットの係合部１２１を形成することにより、歯科医師とって、ブラケット１２０の固定位置の決定やブラケット１２０の固定作業が更に容易になる。
【００６５】
第２係合部１２４は、第１大臼歯４００の頬側面４０１に密着する当接面１２５と、第１大臼歯４００の頬側面４０１から略垂直に施療対象者の内頬に向けて隆起する突起部１２６を有する。この突起部１２６には、上述した第１実施形態に係る貫通孔１４と同様の貫通孔１２７が形成される。突起部１２６や貫通孔１２７の形状は、上述した第２実施形態に係る突起部１１６や貫通孔１１７の場合と同様である。
【００６６】
一方、当接面１２５は、ブラケット１２０を第１大臼歯４００に装着したときに、頬側面４０１に密着する点は上述した第１小臼歯３００の場合と同様であるが、このとき、頬側溝にも凹凸係合する。このため、歯科医師とって、ブラケット１２０の固定位置の決定やブラケット１２０の固定作業は、更に容易になる。
【００６７】
なお、以上説明した第２実施形態及び第３実施形態では、第１小臼歯や第１大臼歯を例に取り説明を行ったが、その他の臼歯や犬歯、中切歯等についても同様に咬合面や切縁に当接する係合面を有するように形成できることは言うまでも無い。
【００６８】
（４）第４実施形態：
図４は、歯列矯正ワイヤと係合するワイヤ溝が形成されたブラケットの構造を説明する図である。同図に示すブラケット１３０は、係合部１３１に、係止突起１３２，１３４、及び歯列の並び方向に延びる係合溝としての溝１３５を有する。
【００６９】
この溝１３５の開口は、施療対象者の内頬に面する側に形成されており、ブラケット１３０を施療対象者の対象歯に固定したとき、歯列矯正ワイヤを施療対象者の頬の側から嵌め込むことが可能である。係止突起１３２は、ブラケット１３０の上側面において上方に突出するように形成されており、係止突起１３４は、ブラケット１３０の下側面において下方に突出するように形成されている。
【００７０】
歯科医師は、歯列矯正ワイヤを溝１３５に係合すると、係止突起１３２，１３４にリガチャーワイヤやオーリング等を掛止して歯列矯正ワイヤが溝１３５から外れないように結紮する。
【００７１】
このブラケット１３０は、上述した第１実施形態〜第３実施形態に係るブラケットが備えるような貫通孔に歯列矯正ワイヤを挿通する作業が難しい場合に用いると好適である、すなわち、歯の位置次第では貫通孔に歯列矯正ワイヤを挿通する作業が難しい場合があり、このような場合、溝１３５が形成されたブラケット１３０であれば、側面から歯列矯正ワイヤをセットできるため、歯列矯正ワイヤを施療対象者の歯列にセットする作業が容易になる。むろん、歯列矯正ワイヤの挿通作業の難易度に関わらず、溝１３５が形成されたブラケット１３０を、いずれの歯に用いてもよいことは言うまでもない。
【００７２】
（５）第５実施形態： 
次に、上述した歯列矯正用ブラケットを作成する方法の一例について説明する。図５は、ブラケット作成手順を示す流れ図である。同図に示すブラケット作成方法は、歯型印象採取工程Ｓ１０、オリジナル歯型模型作成工程Ｓ２０、セットアップ歯型模型作成工程Ｓ３０、台座作成工程Ｓ４０、ブラケット作成工程Ｓ５０、を含んで構成される。
【００７３】
歯型印象採取工程Ｓ１０においては、施療対象者の歯型印象を、印象剤を用いて採型する。このとき、施療対象者の歯の数は、一般的には、歯科矯正後と同じ数としておく。例えば、歯科矯正を行うにあたり上下左右の第１小臼歯を抜歯するのであれば、これら第１小臼歯を抜歯した状態で採型する。ただし、歯型印象の採型は抜歯前の状態で行い、抜歯すべき歯を除いてセットアップ歯型模型を作成するようにしても構わない。
【００７４】
オリジナル歯型模型作成工程Ｓ２０においては、歯型印象採取工程Ｓ１０において採型した歯型印象に、硬石膏等の歯型材を流し込んで固化させる。これにより、矯正前の施療対象者の歯型を模したオリジナル歯型模型が作成される。
【００７５】
セットアップ歯型模型作成工程Ｓ３０においては、オリジナル歯型模型を構成する複数の模型歯を個々に分離し、理想的な歯並びとなるように位置を調整して再配列する。理想的な歯並びとは、施療対象者の歯の数や形状、サイズ、顎のサイズ等を考慮の上、最も適切な位置に各歯が配列されたときの歯並びであり、歯列矯正により最終的に施療対象者の口腔内に実現したい歯並びである。
【００７６】
具体的には、施療対象者の歯肉に相当する疑似歯肉を蝋材等で作成し、この疑似歯肉の上に、分離された個々の模型歯を、理想的な歯並びとなるように再配列する。これにより、下記の図６に示すような、矯正後の施療対象者の歯型を模したセットアップ歯型模型６００が作成される。
【００７７】
台座作成工程Ｓ４０においては、セットアップ歯型模型６００の所定位置に歯列矯正ワイヤを載置するための複数の台座を形成する。図６は、台座作成工程によって複数の台座を形成されるセットアップ歯型模型の一例を示す斜視図である。台座は少なくとも３つ形成されるものであり、同図に示す例では、頬側の疑似歯肉６０１の上において、左右の第２大臼歯の奥側に１つずつ、犬歯と小臼歯の間に１つずつ、中切歯の間に１つ、の計５つの台座６０２〜６０６が形成されている。
【００７８】
ブラケット作成工程Ｓ５０においては、ブラケットを装着すべき対象歯の対象部位の形状を、セットアップ歯型模型６００を用いて採型することにより、当該対象箇所の形状が係合面に転写されたブラケットを作成する。なお、図６には、臼歯については上述した第１実施形態〜第３実施形態で説明した貫通孔を備えたタイプのブラケットを例示し、犬歯や切歯については上述した第４実施形態で説明した溝を備えたタイプのブラケットを例示してあるが、これに限定されるものではない。
【００７９】
図７は、セットアップ歯型模型６００を用いた貫通孔タイプのブラケットの作成を説明する模式的な断面図である。同図は、対象歯としての第１小臼歯６１０を、図６に示すＸ−Ｘ’断面に沿って切断して示した図である。
【００８０】
同図に示すように、ブラケット作成工程Ｓ５０においては、第１小臼歯６１０の対象部位に密着するように歯科用レジンを付着させる。このようにして付着された歯科用レジンは、乾燥又光照射により硬化させる。これにより、対象部位の凹凸形状が係合面に転写されたブラケット１４０が作成される。
【００８１】
また、ブラケット作成工程Ｓ５０においては、複数の台座６０２〜６０６の上に歯列矯正ワイヤ２０が載置された状態で、第１小臼歯６１０の対象部位に歯科用レジンが付着される。このとき、歯科用レジンは、対象部位の表面近くに付着されるだけでなく、第１小臼歯６１０の側面の略中央付近の歯列矯正ワイヤ２０付近では、第１小臼歯６１０の頬側面から略垂直に盛り上がるように付着される。
【００８２】
この盛り上がり部分１４１は、対象歯の側面と歯列矯正ワイヤ２０の外側面との距離をｄ１とすると、盛り上がり部分１４１の盛り上がり高さｄ２はｄ１よりも大きくしてあり、ブラケット１４０は、台座６０２〜６０６の上に載置された歯列矯正ワイヤ２０の一部をその内部に包含することになる。これにより、硬化後の歯科用レジンの盛り上がり部分１４１には、歯列矯正ワイヤ２０を挿通可能な貫通孔１４２が形成される。貫通孔１４２には、ブラケット１４０を硬化して歯列矯正ワイヤ２０を取り外した後、歯科用のドリル等の工具にて切削することにより、その入り口が漏斗状に形成される。
【００８３】
なお、盛り上がり部分１４１や貫通孔１４２のその他の形状は、上述した第２実施形態に係る突起部１１６や貫通孔１１７の場合と同様である。
【００８４】
また、ブラケット作成工程Ｓ５０においては、予め歯列矯正ワイヤ２０の歯科用レジンと接触する部位に対して滑剤を付着させた上で、第１小臼歯６１０の対象部位に歯科用レジンを付着させることが好ましい。この状態で歯科用レジンを硬化させると、ブラケット１４０の貫通孔１４２の内面に滑剤が固着される。滑剤としては、硬化した歯科用レジンに比べて摩擦係数の小さい物質であり、例えば、体内に入っても人体に悪影響のおそれが無い、ポリテトラフルオロエチレン（ＰＴＦＥ）等のフッ素樹脂の粉状物が例示される。
【００８５】
このように滑剤を介在させることにより、貫通孔１４２と歯列矯正ワイヤ２０の滑りが良好になる。すなわち、歯科医師が歯列矯正ワイヤ２０を貫通孔１４２に挿通する際の作業性が向上する。また、矯正による施療対象者の歯の位置変動に応じて、歯列矯正ワイヤが貫通孔１４２の中をスムーズ滑動してブラケット１４０と歯列矯正ワイヤ２０の係合位置が最適な位置に調整されるため、歯列矯正の効率が向上し、施療対象者の歯や歯根、歯肉等に余計な負荷を与えずに済む。
【００８６】
なお、以上説明した例では、実際に施療対象者の歯型印象を採取して作成した歯型模型を用いてブラケットを作成する場合を例に取り説明を行ったが、歯型印象の採取は必須ではなく、例えば、施療対象者の歯型印象をコンピュータ等でスキャンして採取して３Ｄ−ＣＡＤ等のコンピュータを用いた手法で歯型模型を作成してもよい。また、ブラケット自体を３Ｄ−ＣＡＤ等のコンピュータを用いた手法で作成してもよい。
【００８７】
次に、溝タイプのブラケットの作成方法について説明する。図８は、セットアップ歯型模型６００を用いた溝タイプのブラケットの作成方法を説明する模式的な断面図である。同図は、対象歯６１１としての中切歯を、図６に示すＹ−Ｙ’に沿った略垂直断面に沿って切断して示した図である。
【００８８】
図８においては、まず、ブラケットを装着すべき対象歯６１１の対象部位に、その盛りつけ範囲内に歯列矯正ワイヤ２０を含むようにやや多めに歯科用レジンを付着させて、乾燥又は光照射により歯科用レジンを硬化させる。その後、硬化した歯科用レジン１５０の不要な部位を切削工具（例えば、歯科用のドリル等）で切削することにより、所望の形状に形成する。
【００８９】
具体的には、対象歯６１１に当接していない側面１５１（頬側矯正の場合、頬側の側面）の側から図８の歯列矯正ワイヤ２０の右側面と連続する平面の位置まで歯科用レジン１５０を切削して、歯科用レジン１５０から歯列矯正ワイヤ２０を露出させる。これにより、歯列矯正ワイヤ２０と凹凸係合する溝１５２が歯科用レジン１５０に形成され、歯科用レジン１５０から歯列矯正ワイヤ２０をその径方向（頬側矯正の場合、頬の方向）に取り外し可能なになる。これにより、上述した第４実施形態のブラケット１３０と同様のブラケットが作成される。
【００９０】
次に、歯科用レジン１５０の上面の対象歯６１１寄りの部位１５３を下方に向けて切削して歯科用レジン１５０の上面に突部１５４を形成する。また、歯科用レジン１５０の下面の対象歯６１１寄りの部位１５５を上方に向けて切削して歯科用レジン１５０の下面にも突部１５６を形成する。これら突部１５４，１５６は、リガチャーワイヤやオーリング等をブラケットに対して係止するための係止突起であり、溝１５２に係合させた歯列矯正ワイヤ２０をブラケットに対して結紮することが可能になる。
【００９１】
次に、溝タイプのブラケットの作成方法の他の一例について説明する。図９は、当該他の作成方法を説明する模式的な断面図であり、図１０は、当該作成方法に用いる型部材１６０の形状を説明する斜視図である。図９は、対象歯６１１としての中切歯を、図６に示すＹ−Ｙ’に沿った略垂直断面に沿って切断して示してある。
【００９２】
型部材１６０は、レジン硬化用の光や紫外線を透過する部材で形成されており、例えば光で硬化するレジンを用いる場合は透明部材で形成される。この型部材１６０は、目的とするブラケットの全部又は一部の雌型（反対の形）が彫刻された凹部１６１と、この凹部１６１を外部に連通する開口１６２とを有している。この開口１６２を介して硬化前の液状レジンが凹部１６１内に充填され、この開口１６２を介して硬化後の成型レジンが凹部１６１から取り外される。
【００９３】
また、型部材１６０の開口１６２の縁部内側には、開口の中心方向に向けて突出する突部１６７，１６８が形成されている。図９においては、突部１６７は、開口１６２の上縁部から下に向かって突出する突起として形成され、突部１６８は、開口１６２の下縁部から上に向かって突出する突起として形成されている。これにより、型部材１６０の中で硬化された成型レジンの上面には突部１６９が形成され、下面には突部１７０が形成される。
【００９４】
ブラケットを作成する際は、例えば、開口１６２の外部に液状レジンが出る程度（例えば、少し溢れたり、盛り上がったりする程度）に凹部１６１に液状レジンを充填して、開口１６２の側を対象歯８００の対象部位に向けて押圧接触させる。又は、開口１６２の側を対象歯８００の対象部位に向けて接触させた状態で、凹部１６１のレジン注入用の孔等（図示せず）から液状レジンを注入して凹部１６１の中に液状レジンを充填する。
【００９５】
これにより、開口１６２の外部に出ている液状レジンが対象歯６１１の側面に沿って付着する。この状態で、型部材１６０の外部から型部材１６０を通してレジン硬化用の光や紫外線を照射して液状レジンを硬化させ、硬化したレジンを型部材１６０から取り外したものが、第４実施形態に記載のブラケット１３０と同型のブラケットとなる。なお、型部材１６０には、型部材１６０の外側に持ち手１６３等を設けておくと、型部材１６０の押し当てや取り外しに係る作業性が向上する。
【００９６】
図１０に示すように、型部材１６０の側面には、当該型部材１６０の内外を貫通する２つの孔１６４，１６５が形成されている。孔１６４，１６５は歯列矯正ワイヤ２０を挿通するためのものであり、孔１６４，１６５に挿通された歯列矯正ワイヤ２０は凹部１６１の中を横切る。このため、凹部１６１に液状レジンを充填して硬化させたときに、歯列矯正ワイヤ２０のある部位に孔又は溝が形成される。
【００９７】
すなわち、歯列矯正ワイヤ２０が型部材１６０の底部に接触するように挿通させておけば、上述した第４実施形態に係る溝１３５を有するブラケット１３０と同様のブラケットが作成され、歯列矯正ワイヤ２０が型部材１６０の底部から浮いた状態で挿通させておけば、上述した第１実施形態〜第３実施形態のように貫通孔を有するブラケット１０，１１０，１２０と同様のブラケットが作成される。なお、図９には、溝が形成される場合を例示してある。
【００９８】
また、型部材１６０には、孔１６４，１６５から開口１６２に向けてスリットや切れ目等が形成されており、セットアップ歯型模型６００の所定位置に歯列矯正ワイヤをセットしたまま、歯列矯正ワイヤ２０がスリットを通るように液状レジンを充填した型部材１６０を対象歯の側面に向けて押しつけていくことができる。また、歯科用レジンが硬化した後は、歯列矯正ワイヤ２０が硬化した歯科用レジンを固定することとなり、型部材１６０をそのまま対象歯の側面方向に引っ張るだけで、型部材１６０から歯科用レジンが取り外される。
【００９９】
また、型部材１６０はゴム製としてもよい。ゴム製の型部材１６０であれば、型部材１６０の中に充填された液状レジンが硬化して型部材１６０の複雑な凹凸形状に応じた凹凸形状を有するブラケットが形成されたときに、型部材１６０を引き延ばして開口１６２を広げることにより、ブラケットを型部材１６０から容易に取り外すことができる。
【０１００】
具体的には、例えば、型部材１６０の凹部１６１に、ブラケットにリガチャーワイヤやオーリング等を引っかけるための突起を形成するための突部１６７，１６８を、開口１６２の縁部から開口１６２の内径方向に向けて形成しても、この開口１６２を引き延ばすことにより、硬化した歯科用レジンを型部材１６０から容易に取り外すことができる。
【０１０１】
以上説明したブラケット作成方法によって作成されたブラケットは、歯科用のレジンを用いて作成してあるため、従来の鋳造で作成された金属製のブラケットに比べて材料費が大きく低減されるし、製作に高いスキルが要求されることも無いため製造コストも大きく低減される。また、歯列矯正ワイヤ２０と歯の間の距離は各施療対象者で異なるが、従来のブラケットは汎用的に作成されることから歯側面からワイヤ係合部までの距離が固定されており、各施療対象者に最適な形状が実現されていなかったところ、材料費及び製作スキルが低下されることにより、歯科医師が自分でブラケットを作成できるようになり、現場のニーズに合った最適なブラケットを安価に製作できるようになる。
【０１０２】
（６）第６実施形態： 
歯科医師は、上述した第１実施形態〜第４実施形態に係る歯列矯正用ブラケットや上述した第５実施形態の歯列矯正用ブラケットの作成方法によって作成された歯列矯正用ブラケットを、その係合面に形成された凹凸形状を手がかりとして装着位置を決定しつつ、施療対象者の対象歯にそれぞれ接着し、各歯列矯正用ブラケットの貫通孔に歯列矯正ワイヤを挿通することにより、施療対象者の歯列を、理想的な歯並びに矯正することが出来る。
【０１０３】
図１１は、第６実施形態に係る歯列矯正方法により、歯列矯正用ブラケットと歯列矯正ワイヤを装着された状態を説明する図である。同図（ａ）は、頬側矯正時の状態を示しており、同図（ｂ）は、舌側矯正時の状態を示している。
【０１０４】
なお、同図には上顎の場合を例に取り示してあるが、むろん、下顎についても、同様の歯列矯正が可能であることは言うまでもない。また、同図には、臼歯に貫通孔タイプのブラケットを装着し、犬歯や切歯に溝タイプのブラケットを装着した図を示してあるが、臼歯に溝タイプのブラケットを装着してもよいし、犬歯や切歯に貫通孔タイプのブラケットを装着しても構わない。また、同図には、上述した歯科用レジンのみを用いて形成した歯列矯正用ブラケットを装着した図を示してあるが、従来の金属製の歯列矯正用ブラケットを適宜に組み合わせて用いてもよい。
【０１０５】
歯に対するブラケットの接着は、歯科用接着剤を対象歯の対象部位に塗布した上で、上述したように、係合面に形成された凹凸形状を手がかりとして決定した装着位置に配置して、歯科用接着剤を乾燥又は光照射等により硬化させることでおこなう。
【０１０６】
そしてブラケットの貫通孔に歯列矯正ワイヤを挿通したり溝に係合させたりして、オーリングやリガチャーワイヤを引っかけて結紮する。なお、貫通孔に挿通された歯列矯正ワイヤは、いわゆるデーモンシステムブラケットのように結紮せずに用いても良い。
【０１０７】
（４）まとめ： 
以上説明した各実施形態に係る歯列矯正用ブラケットは、歯科用のレジンを用いて作成してあるため、歯列矯正用ブラケットの製造に必要な技術レベルとコストを低減して歯列矯正に係るコストや労力を低減することが可能となる。また、上述した各実施形態に係る歯列矯正用ブラケットは、咬合面の凹凸形状に凹凸係合する係合面を有するため、施療対象者の歯に対する歯列矯正用ブラケットの固定位置の決定が容易化し、更には、施療対象者の歯に対する歯列矯正用ブラケットの実際の固定位置と理想的な固定位置の間のズレをより少なくすることが可能となる。
【０１０８】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【０１０９】
１０…ブラケット、１１…係合部、１２…係合面、１３…突起部、１４…貫通孔、２０…歯列矯正ワイヤ、１００…ブラケット、１１０…ブラケット、１１１…係合部、１１２…第１係合部、１１３…第１係合面、１１４…第２係合部、１１５…当接面、１１６…突起部、１１７…貫通孔、１２０…ブラケット、１２１…係合部、１２２…第１係合部、１２３…第１係合面、１２４…第２係合部、１２５…当接面、１２６…突起部、１２７…貫通孔、１３０…ブラケット、１３１…係合部、１３２…係止突起、１３４…係止突起、１３５…溝、１４０…ブラケット、１４１…部分、１４２…貫通孔、１５０…歯科用レジン、１５１…側面、１５２…溝、１５３…部位、１５４…突部、１５５…部位、１５６…突部、１６０…型部材、１６１…凹部、１６２…開口、１６３…持ち手、１６４…孔、１６５…孔、１６７…突部、１６８…突部、１６９…突部、１７０…突部、２００…対象歯、２０１…頬側面、２０２…舌側面、３００…第１小臼歯、３０１…頬側面、３０３…咬合面、３０３ａ…頬側咬頭、３０３ｂ…舌側咬頭、４００…第１大臼歯、４０１…頬側面、４０３…咬合面、４０３ａ…近心頬側咬頭、４０３ｂ…遠心頬側咬頭、６００…セットアップ歯型模型、６０１…疑似歯肉、６１０…第１小臼歯、６１１…対象歯、８００…対象歯、６０２〜６０６…台座、Ｓ１０…歯型印象採取工程、Ｓ２０…オリジナル歯型模型作成工程、Ｓ３０…セットアップ歯型模型作成工程、Ｓ４０…台座作成工程、Ｓ５０…ブラケット作成工程
【図１】
0005635575.tif 000002
【図２】
0005635575.tif 000003
【図３】
0005635575.tif 000004
【図４】
0005635575.tif 000005
【図５】
0005635575.tif 000006
【図６】
0005635575.tif 000007
【図７】
0005635575.tif 000008
【図８】
0005635575.tif 000009
【図９】
0005635575.tif 000010
【図１０】
0005635575.tif 000011
【図１１】
0005635575.tif 000012